(57)【要約】【課題】製品本体を高くせず、信頼性を確保しつつ洗濯槽兼脱水槽の容量を増すこと。【解決手段】脱水回転軸６８と洗濯兼脱水槽４６の底部とを連結支持し略中央部にボス部４２を有するフランジ６７と、フランジと脱水回転軸を螺合締結するフランジナットとを備え、フランジは、ボス部４２より外方側に延設された平面部７４と、ボス部４２と平面部７４とを連結する平坦部７３と、平坦部７３の上面にボス部４２と略同心円状に設けた上面溝部４３と、平坦部７３の下面にボス部４２と略同心円状に設けた下面溝部４４とを有し、平面部７４および平坦部７３を洗濯兼脱水槽４６の底部にインサート成形により埋設するようにしたことにより、製品本体の高さを高くすることなく、洗濯兼脱水槽４６の強度的な信頼性を確保しつつ、洗濯兼脱水槽４６の容積をより大きく確保して洗濯性能を向上させることができる。【選択図】図２
2014061049.tif 000002
【特許請求の範囲】
【請求項１】
衣類を収容する樹脂製の洗濯兼脱水槽と、前記洗濯兼脱水槽を内包する水槽と、前記水槽の外底部に固定された基板と、前記基板に固定され前記洗濯兼脱水槽を脱水回転軸を介して回転駆動するモータと、前記脱水回転軸と前記洗濯兼脱水槽の底部とを連結支持し略中央部にボス部を有するフランジと、前記フランジと前記脱水回転軸を螺合締結するフランジナットとを備え、前記フランジは、前記ボス部より外方側に延設された平面部と、前記ボス部と前記平面部とを連結する平坦部と、前記平坦部の上面に前記ボス部と略同心円状に設けた上面溝部と、前記平坦部の下面に前記ボス部と略同心円状に設けた下面溝部とを有し、前記平面部および前記平坦部を前記洗濯兼脱水槽の底部にインサート成形により埋設するようにした洗濯機。
【請求項２】
前記平坦部を厚肉状に形成した請求項１に記載の洗濯機。
【発明の詳細な説明】
【技術分野】
【０００１】
本発明は、洗濯兼脱水槽の底部に脱水回転軸を固定するためのフランジを有する洗濯機に関するものである。
【背景技術】
【０００２】
従来、この種の洗濯機は、衣類の撹拌、脱水を行なうための洗濯兼脱水槽の底部に、回転軸からの回転力を伝達するためのフランジが設けられており、そのフランジは洗濯兼脱水槽の底部に複数のネジで締結固定されていた。（例えば、特許文献１参照）。
【０００３】
図４は、特許文献１に記載された従来の洗濯機の縦断面図である。
【０００４】
図４において、水槽２３に回転自在に内包された洗濯兼脱水槽２１の中央内底部に衣類撹拌用のパルセータ２２を回転自在に配し、水槽２３の外底部には、モータ２８や機構駆動部３０が配置された基板２４が固着されている。
【０００５】
基板２４の外縁は、外枠２５の上部角隅より防振装置２６を介し吊り下げられている。回転軸２７は、モータ２８の回転力をベルト２９と機構駆動部３０を介して伝えられる。
【０００６】
洗濯兼脱水槽２１の外底部にはフランジ３１が複数のねじ（図示せず）により螺合締結されており、回転軸２７とフランジ３１とをナット３５で締結支持することにより、モータ２８の回転力が洗濯兼脱水槽２１に伝達されるよう構成されている。
【先行技術文献】
【特許文献】
【０００７】
【特許文献１】実開平３−６８８７９号公報
【発明の概要】
【発明が解決しようとする課題】
【０００８】
しかしながら、前記従来の構成では、洗濯兼脱水槽に回転軸の回転を伝達するフランジは、洗濯兼脱水槽の外側底面に複数のねじで螺合締結されているが、フランジは、一般的には、その強度確保からアルミダイカストなどの金属で成形されており所定の厚みを有しているため、水槽内において洗濯兼脱水槽とフランジとの接続には所定の高さスペースが必要となり、水槽の高さ、つまり製品全体の高さを高くしない限りは、洗濯兼脱水槽の容積が小さくなり、洗濯性能に影響を及ぼすという課題があった。
【０００９】
本発明は、上記従来の課題を解決するもので、製品本体の高さを高くすることなく、洗濯兼脱水槽の強度的な信頼性を確保しつつ、洗濯兼脱水槽の容積をより大きく確保して洗濯性能を向上させるという洗濯機を提供することを目的としている。
【課題を解決するための手段】
【００１０】
前記従来の課題を解決するために、本発明の洗濯機は、衣類を収容する樹脂製の洗濯兼脱水槽と、前記洗濯兼脱水槽を内包する水槽と、前記水槽の外底部に固定された基板と、前記基板に固定され前記洗濯兼脱水槽を脱水回転軸を介して回転駆動するモータと、前記脱水回転軸と前記洗濯兼脱水槽の底部とを連結支持し略中央部にボス部を有するフランジと、前記フランジと前記脱水回転軸を螺合締結するフランジナットとを備え、前記フランジは、前記ボス部より外方側に延設された平面部と、前記ボス部と前記平面部とを連結する平坦部と、前記平坦部の上面に前記ボス部と略同心円状に設けた上面溝部と、前記平坦
部の下面に前記ボス部と略同心円状に設けた下面溝部とを有し、前記平面部および前記平坦部を前記洗濯兼脱水槽の底部にインサート成形により埋設するようにしたものである。
【００１１】
これにより、製品本体の高さを高くすることなく、洗濯兼脱水槽の強度的な信頼性を確保しつつ、洗濯兼脱水槽の容積をより大きく確保して洗濯性能を向上させることができる。
【発明の効果】
【００１２】
本発明の洗濯機は、製品本体の高さを高くすることなく、洗濯兼脱水槽の強度的な信頼性を確保しつつ、洗濯兼脱水槽の容積をより大きく確保して洗濯性能を向上させることができる。
【図面の簡単な説明】
【００１３】
【図１】本発明の実施の形態における洗濯機の縦断面図
【図２】同洗濯機のフランジと洗濯兼脱水槽の構成を示す要部断面図
【図３】同洗濯機のフランジと洗濯兼脱水槽の構成を示す要部拡大断面図
【図４】従来の洗濯機の縦断面図
【発明を実施するための形態】
【００１４】
第１の発明は、衣類を収容する樹脂製の洗濯兼脱水槽と、前記洗濯兼脱水槽を内包する水槽と、前記水槽の外底部に固定された基板と、前記基板に固定され前記洗濯兼脱水槽を脱水回転軸を介して回転駆動するモータと、前記脱水回転軸と前記洗濯兼脱水槽の底部とを連結支持し略中央部にボス部を有するフランジと、前記フランジと前記脱水回転軸を螺合締結するフランジナットとを備え、前記フランジは、前記ボス部より外方側に延設された平面部と、前記ボス部と前記平面部とを連結する平坦部と、前記平坦部の上面に前記ボス部と略同心円状に設けた上面溝部と、前記平坦部の下面に前記ボス部と略同心円状に設けた下面溝部とを有し、前記平面部および前記平坦部を前記洗濯兼脱水槽の底部にインサート成形により埋設するようにしたことにより、製品本体の高さを高くすることなく、洗濯兼脱水槽の強度的な信頼性を確保しつつ、洗濯兼脱水槽の容積をより大きく確保して洗濯性能を向上させることができる。
【００１５】
第２の発明は、特に、第１の発明の平坦部を厚肉状に形成したことにより、洗濯兼脱水槽とフランジの接合部にクラック等が発生することは無く、強度的な信頼性を確保することができる。
【００１６】
以下、本発明の実施の形態について、図面を参照しながら説明する。また、この実施の形態によって本発明が限定されるものではない。
【００１７】
（実施の形態１）
図１は本発明の実施の形態１における洗濯機の縦断面図、図２は、同洗濯機のフランジと洗濯兼脱水槽の構成を示す要部断面図、図３は、同洗濯機のフランジと洗濯兼脱水槽の構成を示す要部拡大断面図である。
【００１８】
図１、図２および図３において、水槽４５に回転自在に内包された有底円筒状で合成樹脂製の洗濯兼脱水槽４６の中央底部には、衣類撹拌用のパルセータ４７が回転自在に配されている。
【００１９】
また、水槽４５の外底部には基板４８が固着され、この基板４８にはモータ４９、排水電磁弁（図示せず）、あるいは、洗濯脱水切換クラッチやブレーキが内蔵された機構駆動部５０等が配設されている。そして、外枠５１の上部角隅より吊り棒５２、防振装置５３
を介して基板４８の外縁部が垂下支持されている。
【００２０】
また、モータ４９の回転力は、冷却フィンを有する駆動プーリ５４、ベルト５５および機構駆動部５０を介して、洗濯兼脱水槽４６およびパルセータ４７に伝達されるようになっている。そして、水槽４５の底部には排水弁５６が設けられ、水槽４５内の水は、排水電磁弁（図示せず）によりこの排水弁５６が開閉され、排水ホース５７を通って外部へ排水される。
【００２１】
外枠５１の上部には上部枠体５８が設けられ、その略中央部には洗濯物投入口部５９が形成され、その上部には蓋６０が開閉自在に収設されている。
【００２２】
上部枠体５８の後部内方には、給水装置６１が配設されており、給水弁６２、上方より槽内に給水する給水ホース６３より成っている。また、後部には電源スイッチ６４も配設されている。上部枠体５８の前部には、前面カバー６５が設けられ、その内方部には運転行程を制御する制御手段（図示せず）を有する制御部６６が設けられている。
【００２３】
合成樹脂製の洗濯兼脱水槽４６の底部には、中央部にボス部４２を、延設する外方部に平面部７４を、そしてボス部４２と平面部７４との連結部に平坦部７３を有する略円盤状で金属製のフランジ６７がインサート成形により埋設固定されている。詳述すると、フランジ６７は、ボス部４２の外周部７２より外方部分が洗濯兼脱水槽４６に埋設固定されている。
【００２４】
なお、フランジ６７外方部の平面部７４には洗濯兼脱水槽４６内の水を抜くための複数の水抜き穴７１が形成されている。
【００２５】
ボス部４２の中心部には、機構駆動部５０の脱水回転軸６８と嵌合、連結する回転軸連結穴部４１が形成されおり、組立時は脱水回転軸６８と嵌合してフランジワッシャ６９を挿入後、脱水回転軸６８の先端部に形成されたねじ部にフランジナット７０を螺合して、脱水回転軸６８とフランジ６７が締結固定される。
【００２６】
また、ボス部４２より外方へ延設された平面部７４は強度計算に基づき薄肉状に形成されているが、その内方側でボス部４２との連結部である平坦部７３は平面部７４よりも厚肉状に形成してあり、この厚肉状の平坦部７３の上下面にボス部４２と同心円状に、上面溝部４３と下面溝部４４が形成されており、インサート成形で洗濯兼脱水槽４６の合成樹脂材が充填されている。
【００２７】
また、脱水回転軸６８は回転軸の中心が中空であり、同心的に洗濯回転軸（図示せず）が貫通しており、洗濯回転軸の先端部にパルセータ４７が螺合締結されている。
【００２８】
モータ４９の回転力は、機構駆動部５０のクラッチを切り換えることにより、洗い時には洗濯回転軸（図示せず）に伝達されてパルセータ４７が回転し、脱水時には脱水回転軸６８に伝達されて洗濯兼脱水槽４６が回転する。
【００２９】
以上のように構成された洗濯機において、以下その動作、作用を説明する。
【００３０】
合成樹脂製の洗濯兼脱水槽４６と脱水回転軸６８を連結支持するフランジ６７を、インサート成形により、洗濯兼脱水槽４６の底部に埋設固定したことにより、洗濯兼脱水槽４６下部の有効スペースが増え、その有効スペースを使うことで、製品本体を高くしなくても、つまり水槽４５を高くしなくても、洗濯兼脱水槽４６の内容積を増やすことができ、洗濯性能を向上させることができる。
【００３１】
また、洗濯機が設置された場所の環境温度の変化によって、あるいは、温水を使用することによって、洗濯兼脱水槽４６の合成樹脂が膨張収縮しても、フランジ６７中央のボス部４２より外方へ延設された厚肉状の平坦部７３の上下面に同心円状に設けた上面溝部４３と下面溝部４４とに合成樹脂材が充填されていることにより、合成樹脂である洗濯兼脱水槽４６と金属であるフランジ６７の膨張率に差があっても、溝部によって膨張率の大きい合成樹脂の動きが抑制されて、接合部にクラック等が発生することは無く、フランジ６７自体の溝部追加による応力集中にともなう強度の低減を、厚肉にすることで補い、強度的な信頼性を確保することができる。
【００３２】
以上のように、本実施の形態においては、脱水回転軸６８と洗濯兼脱水槽４６とを連結支持するフランジ６７は、ボス部４２より延設する外方側に平面部７４を、そしてボス部４２と平面部７４との連結部に平坦部７３を有し、平面部７４、平坦部７３を洗濯兼脱水槽４６の底部にインサート成形により埋設されるとともに、平坦部７３の上面に上面溝部４３を、下面に下面溝部４４をボス部４２と同心円状に形成することにより、製品本体の高さを高くすることなく、洗濯兼脱水槽４６の強度的な信頼性を確保しつつ、洗濯兼脱水槽４６の容積をより大きく確保して洗濯性能を向上させることができる。
【００３３】
また、平坦部７３を厚肉状に形成することにより、洗濯兼脱水槽４６とフランジ６７の接合部にクラック等が発生することは無く、強度的な信頼性を確保することができる。
【産業上の利用可能性】
【００３４】
以上のように、本発明にかかる洗濯機は、洗濯槽兼脱水槽の強度的な信頼性を確保しつつ、洗濯兼脱水槽の容量を増し、洗浄性能の向上も可能となるので、洗浄性能を重視される他の洗濯機等の用途に適用できる。
【符号の説明】
【００３５】
４２  ボス部
４３  上面溝部
４４  下面溝部
４５  水槽
４６  洗濯兼脱水槽
４８  基板
４９  モータ
６７  フランジ
６８  脱水回転軸
７０  フランジナット
７３  平坦部
７４  平面部
【図１】
2014061049.tif 000003
【図２】
2014061049.tif 000004
【図３】
2014061049.tif 000005
【図４】
2014061049.tif 000006